(57)【要約】【課題】機器に対する設定処理を効率的に実施可能とする。【解決手段】設定対象機器に対する設定を行うための機器管理システムは、複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する候補決定部と、前記設定対象機器に対する機器操作に基づいて、前記候補決定部により決定された前記候補機器の中から前記参照機器を選択する参照機器選択部と、前記参照機器選択部により選択された前記参照機器に設定された設定情報を前記設定対象機器に設定する処理を行う設定処理部とを備える。【選択図】図５
2020178190.tif 000002
【特許請求の範囲】
【請求項１】
設定対象機器に対する設定を行うための機器管理システムであって、
複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する候補決定部と、
前記設定対象機器に対する機器操作に基づいて、前記候補決定部により決定された前記候補機器の中から前記参照機器を選択する参照機器選択部と、
前記参照機器選択部により選択された前記参照機器に設定された設定情報を前記設定対象機器に設定する処理を行う設定処理部と、を備える
機器管理システム。
【請求項２】
前記候補決定部は、
前記設定対象機器に最も位置が近い設置済み機器を第１候補機器として決定し、
前記第１候補機器とは異なる設置済み機器を、前記第１候補機器よりも優先度が低い第２候補機器として決定する
請求項１に記載の機器管理システム。
【請求項３】
前記候補決定部は、
前記設定対象機器の位置を含む第１領域を形成し、且つ、互いに設定が同じである第１機器グループに含まれる設置済み機器を第１候補機器として決定し、
前記設定対象機器の位置を含む第２領域を形成し、且つ、互いに設定が同じである第２機器グループに含まれる設置済み機器を前記第２候補機器として決定し、
前記第１機器グループは、前記設定対象機器に最も位置が近い設置済み機器を含む機器グループである
請求項１に記載の機器管理システム。
【請求項４】
前記第１候補機器が前記参照機器として選択されることを示す第１情報を前記第１候補機器及び前記設定対象機器の少なくとも一方に提示させる提示制御部をさらに備え、
前記参照機器選択部は、前記第１情報の提示が開始された後、一定期間において第１機器操作が検出されない場合、前記第１候補機器を前記参照機器として選択する
請求項２又は３に記載の機器管理システム。
【請求項５】
前記設定対象機器は、自機器の向きを検出するセンサを有し、
前記第１機器操作は、前記設定対象機器の向きを変更する操作である
請求項４に記載の機器管理システム。
【請求項６】
前記提示制御部は、前記一定期間内に前記第１機器操作が検出された場合、前記第２候補機器が前記参照機器として選択されることを示す第２情報を前記第２候補機器及び前記設定対象機器の少なくとも一方に提示させ、
前記参照機器選択部は、前記第２情報の提示が開始された後、一定期間において前記第１機器操作が検出されない場合、前記第２候補機器を前記参照機器として選択する
請求項４又は５に記載の機器管理システム。
【請求項７】
前記設定処理部は、前記設定対象機器に設定情報を設定した後、前記第１機器操作が検出された場合、前記設定対象機器に設定された設定情報を変更せずに維持する
請求項４乃至６のいずれか１項に記載の機器管理システム。
【請求項８】
前記設定処理部は、前記設定対象機器に設定情報を設定した後、前記設定対象機器に対する第２機器操作が検出された場合、前記設定対象機器に設定された設定情報を変更する設定変更処理を開始し、
前記参照機器選択部は、前記設定変更処理の開始後、前記第１機器操作に基づいて、前記候補機器の中から前記参照機器を再選択する
請求項７に記載の機器管理システム。
【請求項９】
前記設定対象機器は、自機器に加わる加速度を検出するセンサを有し、
前記第２機器操作は、所定期間にわたって前記設定対象機器に継続的に加速度を加える操作である
請求項８に記載の機器管理システム。
【請求項１０】
前記設定対象機器に設定されている設定情報が初期値であるか否かを判定する初期値判定部をさらに備え、
前記参照機器選択部は、前記設定対象機器に設定されている設定情報が初期値であると判定された場合、前記候補機器の中から前記参照機器を選択する
請求項１乃至９のいずれか１項に記載の機器管理システム。
【請求項１１】
設定対象機器に対する設定を行うための機器管理装置であって、
複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する候補決定処理と、
前記設定対象機器に対する機器操作に基づいて、前記候補決定処理により決定された前記候補機器の中から前記参照機器を選択する参照機器選択処理と、
前記参照機器選択処理により選択された前記参照機器に設定された設定情報を前記設定対象機器に設定する処理を行う設定処理と、を実行する制御部を備える
機器管理装置。
【請求項１２】
設定対象機器に対する設定を行うための機器管理方法であって、
複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する決定ステップと、
前記設定対象機器に対する機器操作に基づいて、前記決定ステップにより決定された前記候補機器の中から前記参照機器を選択する選択ステップと、
前記選択ステップにより選択された前記参照機器に設定された設定情報を前記設定対象機器に設定する処理を行う設定ステップと、を備える
機器管理方法。
【請求項１３】
請求項１２に記載の機器管理方法をコンピュータに実行させる
機器管理プログラム。
【発明の詳細な説明】
【技術分野】
【０００１】
本発明は、機器管理システム、機器管理装置、機器管理方法、及び機器管理プログラムに関する。
【背景技術】
【０００２】
特許文献１には、新規に設置された第１機器から所定範囲内に位置する第２機器の識別情報を第１機器から受信し、受信された識別情報に対応する設置位置をデータベースから検索し、検索された第２機器の設置位置に基づき第１機器の設置位置を予測及び表示する管理装置が記載されている。
【先行技術文献】
【特許文献】
【０００３】
【特許文献１】特開２００５−３１２０１７号公報
【発明の概要】
【発明が解決しようとする課題】
【０００４】
近年、ＩｏＴ（Ｉｎｔｅｒｎｅｔ  ｏｆ  Ｔｈｉｎｇｓ）技術の普及に伴い、通信機能を有する機器が今後爆発的に増加することが予想される。このような機器は、その設置時に各種の設定を必要とされる場合がある。
【０００５】
しかしながら、ユーザが各機器についてマニュアルで設定情報を入力することは、多大な労力を要するだけではなく、設定情報の入力ミス等により機器が意図したとおりに動作しない等の問題を引き起こす懸念がある。
【０００６】
そこで、本発明は、機器に対する設定処理を効率的に実施可能とする機器管理システム、機器管理装置、機器管理方法、及び機器管理プログラムを提供することを目的とする。
【課題を解決するための手段】
【０００７】
第１の態様に係る機器管理システムは、設定対象機器に対する設定を行うためのシステムである。前記機器管理システムは、複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する候補決定部と、前記設定対象機器に対する機器操作に基づいて、前記候補決定部により決定された前記候補機器の中から前記参照機器を選択する参照機器選択部と、前記参照機器選択部により選択された前記参照機器に設定された設定情報を前記設定対象機器に設定する処理を行う設定処理部とを備える。
【０００８】
第２の態様に係る機器管理装置は、設定対象機器に対する設定を行うための装置である。前記機器管理装置は、複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する候補決定処理と、前記設定対象機器に対する機器操作に基づいて、前記候補決定処理により決定された前記候補機器の中から前記参照機器を選択する参照機器選択処理と、前記参照機器選択処理により選択された前記参照機器に設定された設定情報を前記設定対象機器に設定する処理を行う設定処理と、を実行する制御部を備える。
【０００９】
第３の態様に係る機器管理方法は、設定対象機器に対する設定を行うための方法である。前記機器管理方法は、複数の設置済み機器それぞれの位置情報と、前記設定対象機器の位置情報とに基づいて、前記複数の設置済み機器の中から、前記設定対象機器に対する設定を行うために参照する参照機器の候補である候補機器を決定する決定ステップと、前記設定対象機器に対する機器操作に基づいて、前記決定ステップにより決定された前記候補機器の中から前記参照機器を選択する選択ステップと、前記選択ステップにより選択された前記参照機器に設定された設定情報を前記設定対象機器に設定する処理を行う設定ステップとを備える。
【００１０】
第４の態様に係る機器管理プログラムは、第３の態様に係る機器管理方法をコンピュータに実行させる。
【発明の効果】
【００１１】
本発明の一態様によれば、機器に対する設定処理を効率的に実施可能とする機器管理システム、機器管理装置、機器管理方法、及び機器管理プログラムを提供できる。
【図面の簡単な説明】
【００１２】
【図１】一実施形態に係る機器管理システムの構成例を示す図である。
【図２】一実施形態に係る第２シナリオにおける機器管理装置の動作例を示す図である。
【図３】他の構成例に係る機器管理システムを示す図である。
【図４】一実施形態に係る通信機器の構成を示す図である。
【図５】一実施形態に係る機器管理装置の構成を示す図である。
【図６】一実施形態に係る設置機器情報を示す図である。
【図７】一実施形態に係る候補決定部の動作の第１パターンの一例を示す図である。
【図８】一実施形態に係る候補決定部の動作の第１パターンの他の例を示す図である。
【図９】一実施形態に係る候補決定部の動作の第２パターンの一例を示す図である。
【図１０】一実施形態に係る機器管理装置の動作例を示す図である。
【図１１】一実施形態に係る機器設定動作の具体例を示す図である。
【図１２】一実施形態に係る設定変更動作の具体例を示す図である。
【図１３】図３に示したシステム構成の変更例を示す図である。
【発明を実施するための形態】
【００１３】
図面を参照して実施形態について説明する。図面の記載において、同一又は類似の部分には同一又は類似の符号を付している。
【００１４】
（システム構成例）
図１は、一実施形態に係る機器管理システム１の構成例を示す図である。
【００１５】
図１に示すように、機器管理システム１は、複数の通信機器１００（通信機器１００ａ及び１００ｂ）と、通信ネットワーク２００と、機器管理装置３００とを有する。
【００１６】
各通信機器１００は、通信機能を有する機器である。各通信機器１００は、例えば各種センサを有するセンサ機器であって、通信ネットワーク２００を介して通信を行うことにより、各種センサにより得られる測定情報を送信する。
【００１７】
各通信機器１００は、ＬＰＷＡ（Ｌｏｗ  Ｐｏｗｅｒ  Ｗｉｄｅ  Ａｒｅａ）方式の無線通信を通信ネットワーク２００と行う。ＬＰＷＡ方式は、消費電力を抑えつつ遠距離通信を実現する無線通信の方式である。
【００１８】
ＬＰＷＡ方式は、例えば、セルラＬＰＷＡ、ＳＩＧＦＯＸ、又はＬｏＲａＷＡＮである。セルラＬＰＷＡは、３ＧＰＰ（３ｒｄ  ｇｅｎｅｒａｔｉｏｎ  ｐａｒｔｎｅｒｓｈｉｐ  ｐｒｏｊｅｃｔ）規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）又はＮＢ−ＩｏＴ（Ｎａｒｒｏｗ  Ｂａｎｄ−Ｉｎｔｅｒｎｅｔ  ｏｆ  Ｔｈｉｎｇｓ）であってもよい。
【００１９】
各通信機器１００は、屋外又は屋内に設置される。各通信機器１００が屋外に設置される場合、各通信機器１００は、自機器に設けられるバッテリにより駆動される。各通信機器１００が屋内に設置される場合、各通信機器１００は、自機器に設けられるバッテリから供給される電力で駆動されてもよいし、商用電源（ＡＣ電源）から供給される電力で駆動されてもよい。
【００２０】
通信ネットワーク２００は、各通信機器１００との無線通信を行う基地局２１０Ａと、高域通信網（ＷＡＮ：Ｗｉｄｅ  Ａｒｅａ  Ｎｅｔｗｏｒｋ）とを含む。通信ネットワーク２００は、インターネットをさらに含んでもよい。
【００２１】
機器管理装置３００は、通信ネットワーク２００に接続されるサーバである。機器管理装置３００は、通信ネットワーク２００を介して各通信機器１００との通信を行うことにより、各通信機器１００を管理する。
【００２２】
機器管理装置３００は、必ずしも専用のサーバでなくてもよい。機器管理装置３００は、機器管理用アプリケーションプログラムがインストールされた汎用の端末（例えばスマートフォン又はＰＣ等）であってもよい。
【００２３】
一実施形態において、通信機器１００ａが設置済みである状況下において、通信機器１００ｂを新規に設置するシナリオを想定する。通信機器１００ａは設置済み機器に相当し、通信機器１００ｂは設定対象機器に相当する。
【００２４】
第１シナリオは、通信機器１００ａを通信機器１００ｂと置き換える（入れ替える）シナリオである。例えば、通信機器１００ａの故障又はバッテリ交換時において、設置済みの通信機器１００ａを撤去し、通信機器１００ａが設置されていた設置位置に新たな通信機器１００ｂを設置する。通信機器１００ａの撤去とは、通信機器１００ａの設置位置から他の位置へ通信機器１００ａを移動することをいう。
【００２５】
第２シナリオは、通信機器１００ａが設置された後、通信機器１００ａを維持したまま、新たな通信機器１００ｂを追加的に設置するシナリオである。例えば、測定対象のエリア（例えば、圃場又は工場等）を面的にカバーするために、設置済みの通信機器１００ａの周辺に通信機器１００ｂを新規設置する。
【００２６】
第１シナリオ及び第２シナリオにおいて、まず、機器管理装置３００は、設置済みの通信機器１００ａの設置位置を示す第１位置情報を通信機器１００ａから受信し、新規設置される通信機器１００ｂの現在位置を示す第２位置情報を通信機器１００ｂから受信する。ここで、「通信機器１００ａの設置位置」とは、通信機器１００ａが過去に設置されていた位置又は通信機器１００ａが現在設置されている位置をいう。
【００２７】
ここで、各通信機器１００が屋外で用いられる場合、位置情報（第１位置情報及び第２位置情報のそれぞれ）は、ＧＮＳＳ（Ｇｌｏｂａｌ  Ｎａｖｉｇａｔｉｏｎ  Ｓａｔｅｌｌｉｔｅ  Ｓｙｓｔｅｍ）位置情報を含んでもよい。
【００２８】
一方、各通信機器１００が屋内で用いられる場合、ＧＮＳＳ衛星からの信号が各通信機器１００に到達しないことがあるため、位置情報は、各通信機器１００の周辺環境に関する情報を含んでもよい。例えば、各通信機器１００が屋内で用いられる場合、位置情報（第１位置情報及び第２位置情報のそれぞれ）は、無線ＬＡＮの受信信号強度、近接センサの測定情報、磁場センサの測定情報、気圧センサの測定情報、及び無線接続先の外部装置のうち、少なくとも１つを含んでもよい。
【００２９】
次に、機器管理装置３００は、第１位置情報及び第２位置情報に基づいて、通信機器１００ａの設置位置から所定範囲内に通信機器１００ｂが位置するか否かを判定する。「通信機器１００ａの設置位置から所定範囲内に通信機器１００ｂが位置する」とは、通信機器１００ａの設置位置と同じ位置、又は通信機器１００ａの設置位置の周辺に通信機器１００ｂが位置していることをいう。ここで、「通信機器１００ａの設置位置と同じ位置」とは、位置情報の測定誤差（測定精度）を考慮して、通信機器１００ａの設置位置と同じとみなすことができる位置も含むものとする。
【００３０】
次に、機器管理装置３００は、通信機器１００ａの設置位置から所定範囲内に通信機器１００ｂが位置すると判定された場合、通信機器１００ａに設定された設定情報と同じ設定情報を通信機器１００ｂに送信する。すなわち、通信機器１００ｂは、通信機器１００ｂの位置に設置されていた通信機器１００ａ又は通信機器１００ｂの周辺にある通信機器１００ａに設定された設定情報と同じ設定情報を機器管理装置３００から受信する。そして、通信機器１００ｂは、機器管理装置３００から受信された設定情報を記憶し、記憶された設定情報に基づいて通信機器１００ｂにおける動作を制御する。
【００３１】
これにより、第１シナリオ及び第２シナリオにおいて、新規設置される通信機器１００ｂの設定情報として、通信機器１００ａの設定情報を参照（流用）することができる。このため、ユーザが通信機器１００ｂについてマニュアルで設定情報を入力する場合に比べて、ユーザの労力を軽減できるとともに、設定情報の入力ミス等の発生を防止できる。
【００３２】
測定対象のエリア（例えば、圃場又は工場等）を面的にカバーするために、設置済みの通信機器１００ａに新たな通信機器１００ｂを追加する第２シナリオにおいては、機器管理装置３００は次のような動作を行ってもよい。図２は、第２シナリオにおける機器管理装置３００の動作例を示す図である。
【００３３】
図２に示すように、設置済みの通信機器１００ａが３つ以上存在する場合において、まず、機器管理装置３００は、３つ以上の通信機器１００ａのそれぞれから第１位置情報を受信し、新たな通信機器１００ｂから第２位置情報を受信する。
【００３４】
次に、機器管理装置３００は、３つ以上の通信機器１００ａに設定された設定情報が同じである場合、３つ以上の通信機器１００ａのそれぞれの第１位置情報と、第２位置情報とに基づいて、３つ以上の通信機器１００ａのそれぞれの設置位置を頂点とする多角形状の領域（領域Ａ）内に新たな通信機器１００ｂが位置するか否かを判定する。
【００３５】
そして、機器管理装置３００は、領域Ａ内に通信機器１００ｂが位置すると判定された場合、３つ以上の通信機器１００ａに設定された設定情報と同じ設定情報を新たな通信機器１００ｂに送信する。これにより、新たな通信機器１００ｂには、３つ以上の通信機器１００ａに設定された設定情報と同じ設定情報が設定される。
【００３６】
なお、図２において、設置済みの通信機器１００ａが３つである一例を示している。例えば、測定対象のエリアが三角形状である場合、まず、この三角形状のエリアの各頂点付近に通信機器１００ａ（合計３つ）を設置する。次に、この三角形状のエリアの内部に新たな通信機器１００ｂを順次追加的に設置する。３つの通信機器１００ａの設置時にはマニュアルでの設定が必要であるが、新たな通信機器１００ｂの設定は全て自動で行われる。
【００３７】
或いは、測定対象のエリアが四角形状である場合、まず、この四角形状のエリアの各頂点付近に通信機器１００ａ（合計４つ）を設置する。次に、この四角形状のエリアの内部に新たな通信機器１００ｂを順次追加的に設置する。４つの通信機器１００ａの設置時にはマニュアルでの設定が必要であるが、新たな通信機器１００ｂの設定は全て自動で行われる。
【００３８】
なお、各通信機器１００が屋内に設置され、且つ無線ＬＡＮ通信の機能を有する場合、各通信機器１００は、ＬＰＷＡ通信に代えて、屋内に設置されたアクセスポイントとの無線ＬＡＮ通信を行ってもよい。図３は、他の構成例に係る機器管理システム１を示す図である。
【００３９】
図３に示すように、各通信機器１００は、施設内（屋内）に設置される。施設は、例えば、工場又は住宅等である。各通信機器１００は、施設内の通信ネットワーク２００に含まれるアクセスポイント２１０Ｂとの無線ＬＡＮ通信を行う。機器管理装置３００は、通信ネットワーク２００（アクセスポイント２１０Ｂ）を介して各通信機器１００との通信を行うことにより、各通信機器１００を管理する。
【００４０】
（通信機器の構成例）
図４は、一実施形態に係る通信機器１００の構成を示す図である。
【００４１】
図４に示すように、通信機器１００は、アンテナ１１０と、通信部１２０と、制御部１３０と、記憶部１４０と、電源管理部１５０と、位置センサ１６０と、各種センサ１７０と、操作部１８０と、表示部１９０とを有する。
【００４２】
アンテナ１１０は、無線信号の送受信に用いられる。通信部１２０は、通信ネットワーク２００を介して機器管理装置３００との通信を行う。一実施形態において、通信部１２０は、通信ネットワーク２００に含まれる基地局２１０ＡとのＬＰＷＡ通信を行うＬＰＷＡ通信部１２１及び／又は通信ネットワーク２００に含まれるアクセスポイント２１０Ｂとの無線ＬＡＮ通信を行う無線ＬＡＮ通信部１２２を含む。
【００４３】
ＬＰＷＡ通信部１２１及び無線ＬＡＮ通信部１２２は、アンテナ１１０が基地局２１０Ａから受信した無線信号に対して増幅処理及びフィルタ処理等を行い、無線信号をベースバンド信号に変換して制御部１３０に出力する。また、ＬＰＷＡ通信部１２１及び無線ＬＡＮ通信部１２２は、制御部１３０から入力されたベースバンド信号を無線信号に変換し、増幅処理等を行ってアンテナ１１０から送信する。
【００４４】
制御部１３０は、通信機器１００における各種の処理及び制御を行う。例えば、制御部１３０は、通信ネットワーク２００を介して機器管理装置３００との通信を行うように通信部１２０を制御する。制御部１３０は、位置情報を周期的に取得するように位置センサ１６０を制御するとともに、位置情報を周期的に機器管理装置３００に送信（アップロード）するように通信部１２０を制御してもよい。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、記憶部１４０に記憶されたプログラムを実行して各種の処理を行う。
【００４５】
記憶部１４０は、揮発性メモリ及び不揮発性メモリを含む。記憶部１４０は、制御部１３０により実行されるプログラム、及び制御部１３０による処理に用いられる情報を記憶する。
【００４６】
記憶部１４０には、制御部１３０の制御下で、通信機器１００の機能及び動作を設定する設定情報が記憶される。
【００４７】
例えば、設定情報は、各種センサ１７０（少なくとも１つのセンサ）により得られる測定情報の送信タイミングを設定するための情報を含む。この情報は、各種センサ１７０により得られる測定情報を機器管理装置３００又は他のサーバにアップロードすべき時刻（例えば、１０時、１４時、１８時等）又は周期（例えば、１２時間、２４時間等）を設定する情報であってもよい。制御部１３０は、設定情報に応じて定まるタイミングにおいて、各種センサ１７０により得られる測定情報を、通信部１２０を介してアップロードする。
【００４８】
また、設定情報は、各種センサ１７０（複数のセンサ）のうち有効又は無効にするセンサを設定するための情報を含む。すなわち、この情報は、機器管理装置３００又は他のサーバにアップロードすべき測定情報の種類を設定する情報である。例えば、各種センサ１７０が温度センサ、湿度センサ、気圧センサ、磁場センサ（地磁気センサ）、及び加速度センサを含む場合において、アップロードすべき測定情報として温度及び湿度が設定される。この場合、制御部１３０は、設定情報に基づいて、湿度センサ及び気圧センサを有効（オン）にし、気圧センサ、磁場センサ、及び加速度センサを無効（オフ）にする。
【００４９】
さらに、設定情報には、制御部１３０により実行されるプログラムが含まれてもよい。プログラムは、制御プログラム（ファームウェア）であってもよいし、アプリケーションプログラムであってもよい。
【００５０】
また、記憶部１４０は、通信機器１００が機器管理装置３００にアクセスするために、機器管理装置３００のアドレス（例えば、ＩＰアドレス）を予め記憶している。さらに、記憶部１４０は、自機器を識別する機器識別情報（機器ＩＤ）を予め記憶している。
【００５１】
電源管理部１５０は、バッテリ及びその周辺回路を含む。電源管理部１５０は、通信機器１００の駆動電力を供給する。なお、通信機器１００が外部からの給電を受ける場合、電源管理部１５０は、外部から供給される電力を変換する回路により構成されてもよい。
【００５２】
位置センサ１６０は、通信機器１００の現在位置を示す位置情報を取得するためのセンサである。例えば、位置センサ１６０は、ＧＮＳＳ受信機を含んで構成される。ＧＮＳＳ受信機は、ＧＰＳ（Ｇｌｏｂａｌ  Ｐｏｓｉｔｉｏｎｉｎｇ  Ｓｙｓｔｅｍ）受信機、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）受信機、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）受信機、ＣＯＭＰＡＳＳ受信機、Ｇａｌｉｌｅｏ受信機、ＱＺＳＳ（Ｑｕａｓｉ−Ｚｅｎｉｔｈ  Ｓａｔｅｌｌｉｔｅｓ  Ｓｙｓｔｅｍ）受信機等を含んでもよい。位置センサ１６０は、制御部１３０の制御下で位置情報を取得し、取得された位置情報（ＧＮＳＳ位置情報）を制御部１３０に出力する。
【００５３】
各種センサ１７０は、通信機器１００に加わる加速度を検出する加速度センサを含む。各種センサ１７０は、温度センサ、湿度センサ、気圧センサ、磁場センサ（地磁気センサ）、照度センサ、近接センサのうち少なくとも１つを含んでもよい。各種センサ１７０は、撮像により画像を得るためのイメージセンサを含んでもよい。各種センサ１７０は、制御部１３０の制御下で測定を行い、測定により得られた測定情報を制御部１３０に出力する。
【００５４】
各種センサ１７０は、通信機器１００の向きを検出するセンサを含む。このようなセンサとしては、例えば多軸加速度センサや地磁気センサ等を用いることができるが、通信機器１００の向きを検出可能なセンサであればどのようなセンサであってもよい。
【００５５】
操作部１８０は、ユーザ操作を受け付けて、操作内容を示す信号を制御部１３０に出力する。例えば、操作部１８０は、通信機器１００の電源を投入又は遮断するための電源スイッチを含む。操作部１８０は、設定情報のマニュアル入力を受け付ける各種キー（各種ボタン）を含んでもよい。
【００５６】
表示部１９０は、制御部１３０の制御下で各種表示を行う。表示部１９０は、通信機器１００の現在の状態を表示するインジケータを含む。インジケータは、例えばＬＥＤにより構成される。表示部１９０は、液晶ディスプレイ、有機ＥＬディスプレイ、又は電子ペーパー等のディスプレイを含んでもよい。なお、通信機器１００は、表示部１９０に代えて、又は表示部１９０に加えて、音声出力部（スピーカ）を有していてもよい。
【００５７】
（機器管理装置の構成例）
図５は、一実施形態に係る機器管理装置３００の構成を示す図である。
【００５８】
図５に示すように、機器管理装置３００は、通信部３１０と、制御部３２０と、記憶部３３０とを有する。
【００５９】
通信部３１０は、各通信機器１００から位置情報及び測定情報を受信する。有線通信モジュール又は無線通信モジュールを含んで構成されており、通信ネットワーク２００を介して各通信機器１００との通信を行う。無線通信モジュールは、ブルートゥース（登録商標。以下、「ＢＴ」と呼ぶ）通信モジュールであってもよいし、無線ＬＡＮ通信モジュールであってもよい。
【００６０】
制御部３２０は、機器管理装置３００における各種の処理及び制御を行う。例えば、制御部３２０は、通信ネットワーク２００を介して各通信機器１００との通信を行うように通信部３１０を制御する。制御部３２０は、少なくとも１つのプロセッサを含む。プロセッサは、記憶部３３０に記憶されたプログラムを実行して各種の処理を行う。
【００６１】
記憶部３３０は、揮発性メモリ、不揮発性メモリ、及び補助記憶装置（ハードディスク等）を含む。記憶部３３０は、制御部３２０により実行されるプログラム、及び制御部３２０による処理に用いられる情報を記憶する。
【００６２】
例えば、記憶部３３０は、図６に示すような設置機器情報を記憶する。制御部３２０は、記憶部３３０に記憶される設置機器情報を管理する。図６に示すように、設置機器情報は、各設置済みの通信機器１００ａについて、当該通信機器１００を識別する機器識別情報（機器ＩＤ）と、当該通信機器１００ａの設置位置を示す位置情報（第１位置情報）と、当該通信機器１００ａに設定された設定情報とを含む。
【００６３】
制御部３２０は、新規設置される通信機器１００ｂが検知され、新規設置される通信機器１００ｂに対する設定が完了した際に、この通信機器１００に対応する情報を設置機器情報に追加してもよい。また、制御部３２０は、設置済みの通信機器１００ａが撤去されたことを検知しても、撤去された通信機器１００ａに対応する情報を設置機器情報に保持してもよい。
【００６４】
制御部３２０は、設定対象機器である新たな通信機器１００ｂに対する設定を行うための処理を行う。一実施形態において、制御部３２０は、記憶部３３０に記憶されたプログラムを実行することにより、初期値判定部３２１と、候補決定部３２２と、提示制御部３２３と、参照機器選択部３２４と、設定処理部３２５とを構成する。
【００６５】
初期値判定部３２１は、新たな通信機器１００ｂに設定されている設定情報が初期値であるか否かを判定する。例えば、初期値判定部３２１は、設定情報が初期値であるか否かを示す通知を、通信部３１０を介して新たな通信機器１００ｂから受信し、この通知に基づいて判定を行う。初期値以外の設定情報がユーザ等により新たな通信機器１００ｂに設定されている場合、この設定情報を優先し、設置済みの通信機器１００ａの設定情報を参照しないこととする。
【００６６】
候補決定部３２２は、設置済みの通信機器１００ａそれぞれの位置情報（第１位置情報）と、新たな通信機器１００ｂの位置情報（第２位置情報）とに基づいて、設置済みの通信機器１００ａの中から、新たな通信機器１００ｂに対する設定を行うために参照する参照機器の候補である候補機器を決定する。候補機器を決定するパターンには、例えば下記の２パターンがある。
【００６７】
第１パターンにおいて、候補決定部３２２は、新たな通信機器１００ｂに最も位置が近い設置済みの通信機器１００ａを第１候補機器として決定する。また、候補決定部３２２は、第１候補機器とは異なる設置済みの通信機器１００ａを、第１候補機器よりも優先度が低い第２候補機器として決定する。
【００６８】
図７は、第１パターンの一例を示す図である。図７に示すように、互いに設定が異なる設置済みの通信機器１００ａ−１及び１００ａ−２が存在する。新たな通信機器１００ｂは、設定情報として初期値が設定されており、設置済みの通信機器１００ａ−１の近傍で電源が投入される。
【００６９】
図７に示す例において、候補決定部３２２は、新たな通信機器１００ｂに最も位置が近い設置済みの通信機器１００ａ−１を第１候補機器として決定し、設置済みの通信機器１００ａ−２を第２候補機器として決定する。
【００７０】
図８は、第１パターンの他の例を示す図である。図８に示すように、複数の設置済みの通信機器１００ａ−１と、これらの通信機器１００ａ−１とは設定が異なる設置済みの通信機器１００ａ−２とが存在する。複数の設置済みの通信機器１００ａ−１は、新たな通信機器１００ｂの位置を含む領域Ａを形成する。新たな通信機器１００ｂは、設定情報として初期値が設定されており、設置済みの通信機器１００ａ−２の近傍で電源が投入される。
【００７１】
図８に示す例において、候補決定部３２２は、新たな通信機器１００ｂに最も位置が近い設置済みの通信機器１００ａ−２を第１候補機器として決定し、設置済みの通信機器１００ａ−１を第２候補機器として決定する。
【００７２】
一方、第２パターンにおいて、候補決定部３２２は、新たな通信機器１００ｂの位置を含む第１領域を形成し、且つ、互いに設定が同じである第１機器グループに含まれる設置済みの通信機器１００ａを第１候補機器として決定する。また、候補決定部３２２は、新たな通信機器１００ｂの位置を含む第２領域を形成し、且つ、互いに設定が同じである第２機器グループに含まれる設置済みの通信機器１００ａを第２候補機器として決定する。ここで、第１機器グループは、新たな通信機器１００ｂに最も位置が近い設置済みの通信機器１００ａを含む機器グループである。
【００７３】
図９は、第２パターンの一例を示す図である。図９に示すように、複数の設置済みの通信機器１００ａ−１（第１機器グループ）と、これらの通信機器１００ａ−１とは設定が異なる複数の設置済みの通信機器１００ａ−２（第２機器グループ）とが存在する。複数の設置済みの通信機器１００ａ−１は、新たな通信機器１００ｂの位置を含む領域Ａを形成する。複数の設置済みの通信機器１００ａ−２は、新たな通信機器１００ｂの位置を含む領域Ｂを形成する。新たな通信機器１００ｂは、設定情報として初期値が設定されており、設置済みの通信機器１００ａ−１の近傍で電源が投入される。
【００７４】
図９に示す例において、候補決定部３２２は、設置済みの通信機器１００ａ−１を第１候補機器として決定し、設置済みの通信機器１００ａ−２を第２候補機器として決定する。
【００７５】
提示制御部３２３は、候補決定部３２２による候補機器の決定後、第１候補機器が参照機器として選択されることを示す第１情報を第１候補機器及び新たな通信機器１００ｂの少なくとも一方に提示させる。ここで「提示」とは、表示及び音声出力のうち少なくとも一方をいう。
【００７６】
例えば、第１情報は、所定の色であってもよい。提示制御部３２３は、第１候補機器の表示部１９０（インジケータ）を所定の色で発光させる指示を、通信部３１０を介して第１候補機器に送信する。第１候補機器は、この指示に応じて、表示部１９０（インジケータ）を所定の色で発光させる。これにより、ユーザは、新たな通信機器１００ｂに対してどの通信機器１００ａの設定情報が設定されようとしているか確認できる。
【００７７】
また、提示制御部３２３は、新たな通信機器１００ｂの表示部１９０（インジケータ）を所定の色で発光させる指示を、通信部３１０を介して新たな通信機器１００ｂに送信してもよい。新たな通信機器１００ｂは、この指示に応じて、表示部１９０（インジケータ）を所定の色で発光させる。ここで、提示制御部３２３は、第１候補機器及び新たな通信機器１００ｂに対して同じ色での発光を行わせてもよい。なお、第１候補機器及び新たな通信機器１００ｂで発光色を揃えることに限らず、第１候補機器及び新たな通信機器１００ｂで発光パターン（発光の時間間隔）を揃えてもよい。
【００７８】
或いは、提示制御部３２３は、第１候補機器の機器ＩＤを新たな通信機器１００ｂに表示させてもよい。但し、新たな通信機器１００ｂのユーザは、第１候補機器の機器ＩＤを把握していないことがある。このため、上記のような第１情報の表示（発光）を用いた方が、ユーザにとって直感的に分かり易い。
【００７９】
第１情報は、所定の音であってもよい。提示制御部３２３は、第１候補機器の音声出力部に所定の音を出力させる指示を、通信部３１０を介して第１候補機器に送信してもよい。第１候補機器は、この指示に応じて、第１候補機器の音声出力部に所定の音を出力させる。
【００８０】
参照機器選択部３２４は、新たな通信機器１００ｂに対する機器操作に基づいて、候補決定部３２２により決定された候補機器の中から、新たな通信機器１００ｂの設定の参照先とする参照機器を選択する。
【００８１】
参照機器選択部３２４は、第１情報の提示が開始された後、一定期間において第１機器操作が検出されない場合、新たな通信機器１００ｂに対して第１候補機器の設定情報が設定されることをユーザが望んでいる判定し、第１候補機器を参照機器として選択する。
【００８２】
ここで、第１機器操作は、新たな通信機器１００ｂの向きを変更する操作であってもよい。参照機器選択部３２４は、新たな通信機器１００ｂのセンサにより得られる測定情報を、通信部３１０を介して取得することにより、新たな通信機器１００ｂの向き及びその変化を特定する。
【００８３】
或いは、第１機器操作は、新たな通信機器１００ｂに設けられた所定のボタンを押下する操作であってもよい。但し、センサ機器などの通信機器は、ユーザインターフェイスに乏しく、例えば電源ボタンしか有していない場合がある。このような場合、向きの変更を第１機器操作とすることが好ましい。
【００８４】
一方、一定期間内に第１機器操作が検出された場合、提示制御部３２３は、新たな通信機器１００ｂに対して第１候補機器の設定情報が設定されることをユーザが望んでいないと判定し、第２候補機器が参照機器として選択されることを示す第２情報を第２候補機器及び新たな通信機器１００ｂの少なくとも一方に提示させる。
【００８５】
例えば、第２情報は、所定の色であってもよい。提示制御部３２３は、第２候補機器の表示部１９０（インジケータ）を所定の色で発光させる指示を、通信部３１０を介して第２候補機器に送信する。第２候補機器は、この指示に応じて、表示部１９０（インジケータ）を所定の色で発光させる。
【００８６】
また、提示制御部３２３は、新たな通信機器１００ｂの表示部１９０（インジケータ）を所定の色で発光させる指示を、通信部３１０を介して新たな通信機器１００ｂに送信してもよい。新たな通信機器１００ｂは、この指示に応じて、表示部１９０（インジケータ）を所定の色で発光させる。ここで、提示制御部３２３は、第２候補機器及び新たな通信機器１００ｂに対して同じ色での発光を行わせてもよい。なお、第２候補機器及び新たな通信機器１００ｂで発光色を揃えることに限らず、第２候補機器及び新たな通信機器１００ｂで発光パターン（発光の時間間隔）を揃えてもよい。
【００８７】
或いは、提示制御部３２３は、第２候補機器の機器ＩＤを新たな通信機器１００ｂに表示させてもよい。但し、新たな通信機器１００ｂのユーザは、第２候補機器の機器ＩＤを把握していないことがある。このため、上記のような第２情報の表示（発光）を用いた方が、ユーザにとって直感的に分かり易い。
【００８８】
第２情報は、所定の音であってもよい。提示制御部３２３は、第２候補機器の音声出力部に所定の音を出力させる指示を、通信部３１０を介して第２候補機器に送信してもよい。第２候補機器は、この指示に応じて、第２候補機器の音声出力部に所定の音を出力させる。
【００８９】
参照機器選択部３２４は、第２情報の提示が開始された後、一定期間において第１機器操作が検出されない場合、新たな通信機器１００ｂに対して第２候補機器の設定情報が設定されることをユーザが望んでいると判定し、第２候補機器を参照機器として選択する。
【００９０】
なお、第２情報の提示が開始された後、一定期間において第１機器操作が検出された場合、処理をやり直してもよい。すなわち、提示制御部３２３は、第１候補機器が参照機器として選択されることを示す第１情報を第１候補機器及び新たな通信機器１００ｂの少なくとも一方に提示させる。
【００９１】
或いは、第２情報の提示が開始された後、一定期間において第１機器操作が検出された場合であって、新たな通信機器１００ｂに初期値以外の設定情報が設定されている場合、この設定情報を用いることをユーザが望んでいると判定し、この設定情報を用いる第３情報を新たな通信機器１００ｂに提示させてもよい。第３情報は、所定の色であってもよいし、所定の音であってもよい。
【００９２】
設定処理部３２５は、参照機器選択部３２４により選択された参照機器に設定された設定情報を新たな通信機器１００ｂに設定する処理を行う。例えば、設定処理部３２５は、第２候補機器が参照機器として選択された場合、第２候補機器に設定された設定情報を、通信部３１０を介して新たな通信機器１００ｂに送信する。新たな通信機器１００ｂは、受信した設定情報を記憶する。
【００９３】
或いは、各通信機器１００が直接的な機器間通信に対応している場合、次のような設定処理を行ってもよい。ここでは直接的な機器間通信がＢｌｕｅｔｏｏｔｈ通信であるものとする。まず、設定処理部３２５は、通信機器１００ａに対して、Ｂｌｕｅｔｏｏｔｈ通信で通信機器１００ｂに設定情報を送信させる指示を送信する。次に、通信機器１００ａは、この指示に応じて設定情報を通信機器１００ｂに送信する。そして、通信機器１００ｂは、通信機器１００ａから受信した設定情報に基づいて設定を行う。
【００９４】
新たな通信機器１００ｂは、記憶した設定情報に基づいて自機器における動作を制御する。例えば、通信機器１００ｂは、設定情報に応じて定まるタイミングにおいて、各種センサ１７０により得られる測定情報をアップロードしてもよい。また、通信機器１００ｂは、設定情報に基づいて、各種センサ１７０（複数のセンサ）のうち一部のセンサを有効（オン）にしてもよい。
【００９５】
このようにして新たな通信機器１００ｂに設定情報が設定された後、設定処理部３２５は、第１機器操作が検出された場合であっても、新たな通信機器１００ｂに設定された設定情報を変更せずに維持する。これにより、新たな通信機器１００ｂが設置された後、通信機器１００ｂの向きが意図せず変化しても、意図しない設定情報の変更が生じることを防止できる。
【００９６】
但し、新たな通信機器１００ｂに設定情報が設定された後、この設定情報の変更をユーザが望む可能性がある。一実施形態において、設定処理部３２５は、新たな通信機器１００ｂに設定情報を設定した後、新たな通信機器１００ｂに対する第２機器操作が検出された場合、通信機器１００ｂの設定情報の変更をユーザが望んでいると判定し、通信機器１００ｂに設定された設定情報を変更する設定変更処理を開始する。
【００９７】
ここで、第２機器操作は、第１機器操作とは異なる操作である。第２機器操作は、所定期間にわたって通信機器１００ｂに継続的に加速度を加える操作であってもよい。例えば、ユーザが所定期間にわたって通信機器１００ｂを振ることにより、通信機器１００ｂに継続的に加速度が加えられる。
【００９８】
設定処理部３２５は、通信機器１００ｂのセンサにより得られる測定情報を、通信部３１０を介して取得することにより、通信機器１００ｂに加わる加速度を特定する。或いは、継続的に加速度が加えられたことを通信機器１００ｂが検知し、その旨の通知を設定処理部３２５が通信機器１００ｂから取得してもよい。
【００９９】
或いは、第２機器操作は、通信機器１００ｂに設けられた所定のボタンを押下する操作であってもよい。但し、センサ機器などの通信機器は、ユーザインターフェイスに乏しく、例えば電源ボタンしか有していない場合がある。このような場合、通信機器１００ｂに継続的に加速度を加える操作を第２機器操作とすることが好ましい。
【０１００】
通信機器１００ｂに設定された設定情報を変更する設定変更処理が開始された後、参照機器選択部３２４は、第１機器操作に基づいて、候補決定部３２２により決定される候補機器の中から参照機器を再選択する。参照機器が再選択されると、設定処理部３２５は、再選択された参照機器に設定された設定情報を通信機器１００ｂに設定する処理を行う。
【０１０１】
（機器管理装置の動作例）
図１０は、一実施形態に係る機器管理装置３００の動作例を示す図である。
【０１０２】
図１０に示すように、ステップＳ１において、初期値判定部３２１は、通信機器１００ｂに設定されている設定情報が初期値であるか否かを判定する。通信機器１００ｂに設定されている設定情報が初期値ではない場合（ステップＳ１：ＮＯ）、この設定情報を優先する。或いは、後述するように、初期値以外の設定情報が設定されている場合であっても、設置済みの通信機器１００ａの設定情報を通信機器１００ｂに設定可能としてもよい。
【０１０３】
通信機器１００ｂに設定されている設定情報が初期値である場合（ステップＳ１：ＹＥＳ）、ステップＳ２において、候補決定部３２２は、設置済みの通信機器１００ａそれぞれの位置情報（第１位置情報）と、通信機器１００ｂの位置情報（第２位置情報）とに基づいて、設置済みの通信機器１００ａの中から候補機器を決定する。
【０１０４】
ステップＳ３において、提示制御部３２３は、候補決定部３２２による候補機器の決定後、参照機器として選択される対象となる候補機器に情報を提示させる。また、参照機器選択部３２４は、通信機器１００ｂに対する第１機器操作に基づいて、候補機器の中から参照機器を選択する。
【０１０５】
ステップＳ４において、設定処理部３２５は、参照機器選択部３２４により選択された参照機器に設定された設定情報を通信機器１００ｂに設定する処理を行う。通信機器１００ｂは、記憶した設定情報に基づいて自機器における動作を制御する。
【０１０６】
ステップＳ５において、設定処理部３２５は、通信機器１００ｂに対する第２機器操作が検出された場合、通信機器１００ｂに設定された設定情報を変更する設定変更処理（設定変更モード）を開始する。設定変更モードが開始された場合（ステップＳ５：ＹＥＳ）、処理がステップＳ３（又はステップＳ２）に戻る。
【０１０７】
図１１は、一実施形態に係る機器設定動作の具体例を示す図である。
【０１０８】
図１１（ａ）に示すように、複数の設置済みの通信機器１００ａ−１（第１機器グループ）と、これらの通信機器１００ａ−１とは設定が異なる複数の設置済みの通信機器１００ａ−２（第２機器グループ）とが存在する。ここで、通信機器１００ａ−１が形成する領域と、通信機器１００ａ−２が形成する領域との重複部分に、設定対象機器である通信機器１００ｂを移動させる。機器管理装置３００の候補決定部３２２は、通信機器１００ａ−１を第１候補機器として決定し、通信機器１００ａ−２を第２候補機器として決定する。
【０１０９】
図１１（ｂ）に示すように、機器管理装置３００の提示制御部３２３は、通信機器１００ａ−１が参照機器として選択されることを示す第１情報を通信機器１００ａ−１及び通信機器１００ｂに表示させる。図１１（ｂ）において、機器管理装置３００の提示制御部３２３が、通信機器１００ａ−１及び通信機器１００ｂに対して同じ色での発光を行わせる一例を示している。また、図１１（ｂ）において、機器管理装置３００の提示制御部３２３が、通信機器１００ａ−２に対して、異なる色での発光を行わせる一例を示している。
【０１１０】
図１１（ｃ）に示すように、一定期間内に通信機器１００ｂの向きが変更された場合、機器管理装置３００の提示制御部３２３は、通信機器１００ａ−２が参照機器として選択されることを示す第２情報を通信機器１００ａ−２及び通信機器１００ｂに表示させる。図１１（ｃ）において、機器管理装置３００の提示制御部３２３が、通信機器１００ａ−２及び通信機器１００ｂに対して同じ色での発光を行わせる一例を示している。
【０１１１】
図１１（ｄ）に示すように、図１１（ｃ）において通信機器１００ｂの向きが変更された後、一定期間内に通信機器１００ｂの向きが更に変更された場合、機器管理装置３００の提示制御部３２３は、通信機器１００ｂに予め設定された設定情報が選択されることを示す第３情報を通信機器１００ｂに表示させる。予め設定された設定情報は、初期値であってもよいし、初期値以外の設定情報であってもよい。図１１（ｄ）において、機器管理装置３００の提示制御部３２３が、通信機器１００ｂに対して、通信機器１００ａ−１及び１００ａ−２とは異なる色での発光を行わせる一例を示している。
【０１１２】
図１２は、一実施形態に係る設定変更動作の具体例を示す図である。
【０１１３】
図１２（ａ）に示すように、機器管理装置３００の設定処理部３２５は、通信機器１００ｂに設定情報を設定した後、所定期間にわたって通信機器１００ｂに継続的に加速度が加えられたことを検知する。
【０１１４】
図１２（ｂ）に示すように、機器管理装置３００の設定処理部３２５は、所定期間にわたって通信機器１００ｂに継続的に加速度が加えられたことを検知すると、通信機器１００ｂに設定された設定情報を変更する設定変更モードを開始する。
【０１１５】
（システム構成の変更例）
図３に示したシステム構成例において、新規設置される通信機器１００ｂには、無線ＬＡＮ通信を行うための設定情報（ネットワーク情報）が予め設定されていることを想定していた。新規設置される通信機器１００ｂにネットワーク情報が設定されていない場合、機器管理装置３００が通信機器１００ｂにネットワーク情報を送信することにより、ネットワーク情報を通信機器１００ｂに設定してもよい。
【０１１６】
図１３は、図３に示したシステム構成の変更例を示す図である。
【０１１７】
図１３に示すように、機器管理装置３００は、設置済みの通信機器１００ａの設置位置を示す第１位置情報を、アクセスポイント２１０Ｂを介して通信機器１００ａから受信する。機器管理装置３００は、無線ＬＡＮ通信以外の通信手段、例えば、ＢＴを介して、新規設置される通信機器１００ｂの現在位置を示す第２位置情報を通信機器１００ｂから受信する。
【０１１８】
例えば、機器管理装置３００は、第１位置情報及び第２位置情報に基づいて、通信機器１００ａの設置位置から所定範囲内に通信機器１００ｂが位置するか否かを判定する。そして、機器管理装置３００は、通信機器１００ａの設置位置から所定範囲内に通信機器１００ｂが位置すると判定された場合、通信機器１００ａに設定された設定情報と同じ設定情報を通信機器１００ｂに送信する。
【０１１９】
ここで、設定情報は、無線ＬＡＮ通信の接続を設定するためのネットワーク情報を含む。ネットワーク情報は、例えば、アクセスポイント２１０Ｂの識別情報（ＳＳＩＤ）と、アクセスポイント２１０Ｂにアクセスするための認証コード（パスワード）とを含む。
【０１２０】
そして、通信機器１００ｂは、機器管理装置３００から受信された設定情報（ネットワーク情報）を記憶し、記憶された設定情報に基づいて通信機器１００ｂにおける動作を制御する。具体的には、通信機器１００ｂは、機器管理装置３００から受信されたネットワーク情報に基づいて、アクセスポイント２１０Ｂとの接続を設定する。
【０１２１】
（その他の実施形態）
上述した実施形態において、初期値判定部３２１と、候補決定部３２２と、提示制御部３２３と、参照機器選択部３２４と、設定処理部３２５とを機器管理装置３００に設ける一例について説明した。しかしながら、初期値判定部３２１と、候補決定部３２２と、提示制御部３２３と、参照機器選択部３２４と、設定処理部３２５とのうち、一部又は全部を通信機器１００ｂに設けてもよい。
【０１２２】
また、上述した実施形態において、通信機器１００ｂが方角を検出するセンサ（地磁気センサ）を有する場合、参照機器選択部３２４は、通信機器１００ｂの向きとして、通信機器１００ｂが向けられた方角に基づいて、候補機器の中から参照機器を選択してもよい。具体的には、参照機器選択部３２４は、第１位置情報及び第２位置情報に基づいて、通信機器１００ｂを基準とした各候補機器の方角を特定し、通信機器１００ｂが向けられた方角に対応する候補機器を参照機器として選択してもよい。このとき、提示制御部３２３は、通信機器１００ｂが向けられた方角に対応する候補機器に対して情報を提示させてもよい。
【０１２３】
また、上述した実施形態において、各通信機器１００が、各種センサを有するセンサ機器である一例について説明した。しかしながら、各通信機器１００は、センサ機器に限定されるものではなく、通信機能を有しており、且つ、ある位置に設置される機器であればどのような機器であってもよい。例えば、各通信機器１００は、通信機能を有する家電機器や、通信機能を有する分散電源（発電機器又は蓄電機器）、通信機能を有する産業機器等であってもよい。
【０１２４】
通信機器１００又は機器管理装置３００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信機器１００又は機器管理装置３００が行う各処理を実行する機能部（回路）を集積化し、通信機器１００又は機器管理装置３００を半導体集積回路（チップセット、ＳｏＣ）として構成してもよい。
【０１２５】
以上、図面を参照して実施形態について詳しく説明したが、具体的な構成は上述のものに限られることはなく、要旨を逸脱しない範囲内において様々な設計変更等をすることが可能である。
【符号の説明】
【０１２６】
１００：  通信機器
３００：  機器管理装置
３２１：  初期値判定部
３２２：  候補決定部
３２３：  提示制御部
３２４：  参照機器選択部
３２５：  設定処理部
【図１】
2020178190.tif 000003
【図２】
2020178190.tif 000004
【図３】
2020178190.tif 000005
【図４】
2020178190.tif 000006
【図５】
2020178190.tif 000007
【図６】
2020178190.tif 000008
【図７】
2020178190.tif 000009
【図８】
2020178190.tif 000010
【図９】
2020178190.tif 000011
【図１０】
2020178190.tif 000012
【図１１】
2020178190.tif 000013
【図１２】
2020178190.tif 000014
【図１３】
2020178190.tif 000015